(57)【要約】【課題】検針員の負担を増やすことなく、一定の計量期間において使用した電力量を正確に特定すること。【解決手段】所定の送信局から送信される標準電波を受信し、受信した標準電波に基づいて計時される日時に基づいて、検針日時によって特定される、所定の計量開始日時から所定時間が経過した後の計量終了日時までの計量期間において、一次側から二次側へ流れた電力量を示す二次元コードを生成し、生成した二次元コードを表示画面１１３に表示する電力量計１００を構成した。【選択図】図１
2013152122.tif 000002
【特許請求の範囲】
【請求項１】
一次側から二次側へ流れた電力量の積算値を計量する計量手段と、
所定の送信局から送信される標準電波を受信し、受信した標準電波に基づいて日時を計時する計時手段と、
前記計時手段が計時する日時に基づいて、所定の計時開始日時から所定時間が経過した後の計時終了日時までの計量期間において前記計量手段が計量した電力量を示す二次元コードを生成するコード生成手段と、
表示画面を備え、前記コード生成手段が生成した二次元コードを当該表示画面に表示する表示手段と、
を備えたことを特徴とする電力量計。
【請求項２】
前記コード生成手段は、前記計時開始日時および前記計時終了日時の少なくとも一方を示す情報を含む前記二次元コードを生成することを特徴とする請求項１に記載の電力量計。
【請求項３】
検針日時の設定入力を受け付ける設定手段を備え、
前記コード生成手段は、前記設定手段が入力を受け付けた検針日時と当該検針日時において前記計量手段が計量した電力量の積算値とを関連付けて示す二次元コードを生成することを特徴とする請求項１または２に記載の電力量計。
【請求項４】
前記設定手段は、複数の検針日時の設定入力を受け付け、
前記コード生成手段は、前記設定手段が入力を受け付けた検針日時ごとに、各前記検針日時と当該検針日時において前記計量手段が計量した電力量の積算値とを関連付けて示す二次元コードを生成することを特徴とする請求項３に記載の電力量計。
【請求項５】
前記計量手段が計量した電力量の積算値の前記計量期間における推移を示す情報を記憶する記憶手段を備え、
前記コード生成手段は、前記記憶手段が記憶する情報を含む二次元コードを生成することを特徴とする請求項１〜４のいずれか一つに記載の電力量計。
【請求項６】
前記コード生成手段は、当該コード生成手段が生成した二次元コードを読み取った端末装置に対して当該二次元コードに含まれる情報を所定のサーバ装置に送信させるソースコード、および、当該二次元コードの生成元となる電力量計の識別情報を含む二次元コードを生成することを特徴とする請求項１〜５のいずれか一つに記載の電力量計。
【請求項７】
前記表示手段は、前記計量手段が計量した電力量の積算値を示す数字と前記二次元コードとを前記表示画面に表示することを特徴とする請求項１〜６のいずれか一つに記載の電力量計。
【請求項８】
請求項１〜７のいずれか一つに記載の電力量計と、
二次元コードを読み取る読取手段と、読み取った二次元コードが示すコード情報を外部装置に送信する通信手段とを備えた携帯端末装置と、
前記携帯端末装置が送信したコード情報を受信して記憶するサーバ装置と、
を備えたことを特徴とする電力計量システム。
【発明の詳細な説明】
【技術分野】
【０００１】
この発明は、負荷に供給された電力量を計量する電力量計および当該電力量計を備えた電力計量システムに関する。
【背景技術】
【０００２】
家庭や工場など電力を消費する負荷を備えた施設に設置された電力量計の指示数を読み取る作業、いわゆる検針作業は、たとえば、１ヶ月ごとなど所定期間ごとにおこなっている。この検針作業は、従来、たとえば、検針員が各施設を巡回して各施設に設置された電力量計の指示数を、目視によって読み取り、読み取った指示数をハンディターミナルへ打ち込むことによって実現されている。従来、このように１ヶ月ごとなど所定期間ごとに検針作業をおこなう場合、毎月の検針日は、電力会社が指定した基準検針日を基に設定されていた。
【０００３】
検針作業の終了後は、検針結果をサーバ装置に送信するための専用端末であるクレードルにハンディターミナルを接続して、当該ハンディターミナルに入力された検針結果を、当該クレードルを介してサーバ装置に送信することによって検針報告をおこなう。
【０００４】
上記のように、従来の技術では、電力量計の指示数を目視によって読み取ったり、読み取った指示数を検針員が手作業で打ち込むことによって入力したりすることにより、「読み取り誤り」や「打ち込み誤り」による誤検針が発生することがあった。誤検針が発生した場合、誤検針に基づく請求の訂正などにより、電力会社の顧客である電気使用者に迷惑をかけたり、当該電気使用者の電気会社に対する信頼を低下させたりしてしまう。
【０００５】
また、「電力」は目に見える商品ではないため、従来の技術では、過去の指示数を検証することが難しい。このため、たとえば、金額や使用量などの請求内容について疑問や不審を抱いた顧客から問い合わせがあった場合に実績を把握することが難しく、当該顧客の「読み取り誤り」や「打ち込み誤り」による誤検針の疑念を払拭することが難しい。
【０００６】
このような不具合を解消するため、従来、たとえば、計量器の指示数の横に読取符号を表示させたり、計量器の値をコード化したり、計量器の指示数を外部からの指令によって二次元コード化して表示させるようにした技術があった（たとえば、下記特許文献１、特許文献２、特許文献３を参照。）。また、従来、たとえば、流量検出装置において検出した水道、ガス、電気等の流量を示すバーコードデータをバーコードとして表示し、流量検出装置に表示されたバーコードを端末装置を用いて読み取るようにした技術があった（たとえば、下記特許文献４を参照）。
【先行技術文献】
【特許文献】
【０００７】
【特許文献１】特開２００６−３０８５３０号公報
【特許文献２】特開２００８−１０７２５０号公報
【特許文献３】特開２００９−１７６２０６号公報
【特許文献４】特開平７−２２５８９０号公報
【発明の概要】
【発明が解決しようとする課題】
【０００８】
しかしながら、上述した特許文献１〜４を含む従来の技術は、計量期間を一定にすることが難しいという問題があった。具体的には、たとえば、１ヶ月ごとに検針をおこなう施設における次回の検針日が土日祝日など特定の日に該当する場合など、実際の次回の検針日が、前回の検針日から正確に１ヶ月後となる日付に対して前後することがあるため、計量期間を一定に揃えることが難しいという問題があった。
【０００９】
この対策として、たとえば、土日祝日など特定の日を考慮せず、実際の次回の検針日が、前回の検針日から正確に１ヶ月後となる日付に検針をおこなうようにした場合、検針員に負担がかかるという問題が生じる。具体的には、この場合、たとえば、労働条件において、検針員の休日となる曜日を規定することができないため、前回の検針日によっては土日祝日など特定の日に勤務しなくてはならず、検針員に負担がかかるという問題が生じる。
【００１０】
また、上述した従来の技術では、各電力量計が計時する時刻に基づいて、各時間帯において使用した電力量を計量する。このため、たとえば、電力会社と顧客との間の電力需給契約が、時間帯によって料金単価が異なるという契約内容である場合、各電力量計が計時する時刻が正確な時刻からずれていると、各時間帯において使用した電力量を正確に特定することができないという問題があった。
【００１１】
また、上述した従来の技術では、検針報告に際してハンディターミナルをクレードルに接続する必要があるため、検診結果を即時報告することが難しいという問題があった。このため、たとえば、顧客から問い合わせがあった場合、問い合わせを受けた者が最新の検診結果を確認するまでに時間がかかり、顧客からの問い合わせに対し迅速に回答することができないという問題があった。
【００１２】
この対策として、たとえば、ハンディターミナルに通信機能を付加した場合、ハンディターミナルの構造が複雑化したり、大型化したり、重量が増加したりするため、ハンディターミナルを携行する検針員の負担が大きくなり、携行に適さなくなってしまうという問題が生じる。
【００１３】
この発明は、上述した従来技術による問題点を解消するため、検針員の負担を増やすことなく、一定の計量期間において使用した電力量を正確に特定することができる電力量計および電力計量システムを提供することを目的とする。
【課題を解決するための手段】
【００１４】
上述した課題を解決し、目的を達成するため、この発明にかかる電力量計は、一次側から二次側へ流れた電力量の積算値を計量する計量手段と、所定の送信局から送信される標準電波を受信し、受信した標準電波に基づいて日時を計時する計時手段と、前記計時手段が計時する日時に基づいて、所定の計時開始日時から所定時間が経過した後の計時終了日時までの計量期間において前記計量手段が計量した電力量を示す二次元コードを生成するコード生成手段と、表示画面を備え、前記コード生成手段が生成した二次元コードを当該表示画面に表示する表示手段と、を備えたことを特徴とする。
【００１５】
また、この発明にかかる電力量計は、上記の発明において、前記コード生成手段が、前記計時開始日時および前記計時終了日時の少なくとも一方を示す情報を含む前記二次元コードを生成することを特徴とする。
【００１６】
また、この発明にかかる電力量計は、上記の発明において、検針日時の設定入力を受け付ける設定手段を備え、前記コード生成手段が、前記設定手段が入力を受け付けた検針日時と当該検針日時において前記計量手段が計量した電力量の積算値とを関連付けて示す二次元コードを生成することを特徴とする。
【００１７】
また、この発明にかかる電力量計は、上記の発明において、前記設定手段が、複数の検針日時の設定入力を受け付け、前記コード生成手段が、前記設定手段が入力を受け付けた検針日時ごとに、各前記検針日時と当該検針日時において前記計量手段が計量した電力量の積算値とを関連付けて示す二次元コードを生成することを特徴とする。
【００１８】
また、この発明にかかる電力量計は、上記の発明において、前記計量手段が計量した電力量の積算値の前記計量期間における推移を示す情報を記憶する記憶手段を備え、前記コード生成手段が、前記記憶手段が記憶する情報を含む二次元コードを生成することを特徴とする。
【００１９】
また、この発明にかかる電力量計は、上記の発明において、前記コード生成手段が、当該コード生成手段が生成した二次元コードを読み取った端末装置に対して当該二次元コードに含まれる情報を所定のサーバ装置に送信させるソースコード、および、当該二次元コードの生成元となる電力量計の識別情報を含む二次元コードを生成することを特徴とする。
【００２０】
また、この発明にかかる電力量計は、上記の発明において、前記表示手段が、前記計量手段が計量した電力量の積算値を示す数字と前記二次元コードとを前記表示画面に表示することを特徴とする。
【００２１】
また、この発明にかかる電力計量システムは、上記の電力量計と、二次元コードを読み取る読取手段と、読み取った二次元コードが示すコード情報を外部装置に送信する通信手段とを備えた携帯端末装置と、前記携帯端末装置が送信したコード情報を受信して記憶するサーバ装置と、を備えたことを特徴とする。
【発明の効果】
【００２２】
この発明にかかる電力量計および電力計量システムによれば、検針員の負担を増やすことなく、一定の計量期間において使用した電力量を正確に特定することができるという効果を奏する。
【図面の簡単な説明】
【００２３】
【図１】この発明にかかる実施の形態の電力量計の外観を示す説明図である。
【図２】この発明にかかる実施の形態の電力量計のハードウエア構成を示す説明図である。
【図３】この発明にかかる実施の形態の電力量計の機能的構成を示すブロック図である。
【図４】この発明にかかる実施の形態の電力量計の処理手順を示すフローチャート（その１）である。
【図５】この発明にかかる実施の形態の電力量計の処理手順を示すフローチャート（その２）である。
【図６】この発明にかかる実施の形態の電力量計の処理手順を示すフローチャート（その３）である。
【発明を実施するための形態】
【００２４】
以下に添付図面を参照して、この発明にかかる電力量計および電力計量システムの好適な実施の形態を詳細に説明する。
【００２５】
（電力量計の外観）
まず、この発明にかかる実施の形態の電力量計の外観について説明する。図１は、この発明にかかる実施の形態の電力量計の外観を示す説明図である。図１において、この発明にかかる実施の形態の電力量計１００は、家屋などの建物の壁などの壁面に、図示を省略する取付ネジを用いて固定される。
【００２６】
電力量計１００は、本体部１１０と接続端子台１２０とを備えている。接続端子台１２０は、第１の端子１Ｓ、２Ｓ、３Ｓと第２の端子１Ｌ、２Ｌ、３Ｌとを備えている。この実施の形態において、第１の端子１Ｓ、２Ｓ、３Ｓおよび第２の端子１Ｌ、２Ｌ、３Ｌは、ともに、３つずつ設けられている。
【００２７】
第１の端子１Ｓ、２Ｓ、３Ｓは、それぞれ、電線を介して電源に接続される（いずれも図示を省略する）。電源は電力量計１００に対する電力の供給元であり、この実施の形態における第１の端子１Ｓ、２Ｓ、３Ｓは、発電所ないし送電線に繋がる電線に接続されている。第２の端子１Ｌ、２Ｌ、３Ｌは、それぞれ、負荷に接続される。負荷は、電力量計１００を通過した電力を使用する電気機器あるいは電気を使用する設備とすることができる。
【００２８】
本体部１１０は、箱形状をなし、電力量計１００に供給された電力量の積算値を計量する計量機構部（図２における符号２１０を参照）を収容する筐体１１１を備えている。この発明にかかる実施の形態の電力量計１００は、たとえば、電流の乗算を静的に乗算器によっておこなう、いわゆる電子式電力量計１００によって実現することができる。電子式の電力量計１００（以下、単に「電力量計１００」という）における計量機構部による電力量計１００に供給された電力量の計量方法については説明を後述する（図２を参照）。
【００２９】
筐体１１１の正面側には、表示画面１１２と表示画面１１３とが設けられている。表示画面１１２および表示画面１１３は、計量機構部が計量した電力量に関する情報を表示する。具体的には、表示画面１１２および表示画面１１３は、計量機構部が計量した電力量の積算値を表示する。より具体的には、表示画面１１２は計量機構部が計量した電力量の積算値を示す数値を表示し、表示画面１１３は、計量機構部が計量した電力量の積算値を示す情報を含む二次元コードを表示する。表示画面１１３は、たとえば、筐体１１１の正面側であって、表示画面１１２の近傍に設けることができる。
【００３０】
二次元コードは、たとえば、ＱＲコード（登録商標）によって実現することができる。二次元コードは、ＱＲコードに限るものではなく、たとえば、マイクロＱＲコード、ＳＰコード、ベリコード（ＶｅｒｉＣｏｄｅ）、マキシコード（ＭａｘｉＣｏｄｅ）、ＣＰコードなどの公知の各種の二次元コードによって実現してもよい。また、二次元コードは、マトリックス式に限らずスタック式の二次元コードであってもよい。
【００３１】
また、電力量計１００は、操作部（図２における符号２３０を参照）を備えている。操作部は、検針日時の設定や検針作業に際して検針指示を入力する際に、検針員などによって操作される。検針日時は、たとえば、電力量の計量期間の開始日時（計量開始日時）を指定する情報であって、検針員などによって任意に設定することができる。具体的には、検針日時は、たとえば、「毎月１５日の午前０時」などのように設定することができる。検針日時は、計量開始日時を指定するものに限らず、計量期間の終了日時（計量終了日時）を指定するものであってもよい。また、検針日時は、計量開始日時および計量終了日時の両方を指定するものであってもよい。
【００３２】
具体的には、操作部は、たとえば、特定のコードを入力するテンキーやエンターキーなどによって実現することができる。あるいは、操作部は、具体的には、たとえば、「検針日設定」キー、「検針日追加」キー、「検針日変更」キー、などのように入力操作内容を指定する操作キーやテンキーなどによって実現してもよい。
【００３３】
また、あるいは、操作部は、たとえば、入力操作内容を指定する操作キーやテンキーなどを表示する液晶ディスプレイ、および、当該液晶ディスプレイに積層されたタッチパネルによって実現してもよい。この場合、液晶ディスプレイの表示内容を変更することにより、複数のキーを設けることなく、タッチパネルを介して複数種類の入力操作をおこなうことができる。
【００３４】
（電力量計１００のハードウエア構成）
図２は、この発明にかかる実施の形態の電力量計１００のハードウエア構成を示す説明図である。図２において、この発明にかかる実施の形態の電力量計１００は、計量機構部２１０と、計時機構部２２０と、操作部２３０と、マイクロコンピュータ２４０と、表示部２５０とを備えている。
【００３５】
計量機構部２１０は、電力量計１００の一次側から二次側へ流れた電力量を計量する。計量機構部２１０は、たとえば、入力変換部２１１と、乗算処理部２１２と、分周回路部２１３と、によって構成することができる。入力変換部２１１は、供給された電力（図２における「Ｖ」、「Ｉ」を参照）における電圧レベルおよび電流レベルを、第１の端子および第２の端子の間に構成される電子回路の電圧レベルおよび電流レベルに変換する。
【００３６】
乗算処理部２１２は、入力変換部２１１によって変換された電圧レベルおよび電流レベルに基づいた乗算処理によって、供給された電力量に比例したパルス信号を生成する。乗算処理部２１２の乗算方式は、アナログ乗算方式（時分割乗算方式）であってもデジタル乗算方式（ホール素子乗算方式あるいはＡ／Ｄ変換乗算方式）であってもよい。
【００３７】
たとえば、アナログ乗算方式により乗算処理をおこなう場合、乗算処理部２１２は、基本となる数十ｋＨｚのクロック信号を入力電圧でパルス幅変調し、１パルスごとに、入力電流の値に応じたパルス振幅としたパルス列を作成する。各パルス幅は瞬時電圧値に比例しており、各パルスの振幅は瞬時電流値に比例している。乗算処理部２１２は、作成したパルス列における各パルスの瞬時の電圧と電流との積（瞬時電圧に比例したパルス幅と、瞬時電流に比例した振幅とが示すパルスの面積）を瞬時電力として算出し、算出した瞬時電力に応じたパルス信号を生成する。
【００３８】
また、たとえば、デジタル乗算方式（ホール素子乗算方式）により乗算処理をおこなう場合、乗算処理部２１２は、電力に相当するホール電圧の電圧波形をデジタル変換したパルス信号を生成する。デジタル乗算方式（ホール素子乗算方式）は、ホール素子の入力端子間に、計器入力電圧に比例した電流（ホール電流：Ｉｂ）を流し、ホール素子のセンサー面に負荷電流に比例した磁束（Ｂ）を加えることにより、出力端子間に発生する磁束とホール電流の積に比例したホール電圧が発生するという、ホール素子が物理特性として持つ乗算効果を利用している。
【００３９】
また、たとえば、デジタル乗算方式（Ａ／Ｄ変換乗算方式）により乗算処理をおこなう場合、乗算処理部２１２は、電力量計１００の入力要素である電圧と電流の波形をそれぞれＡ／Ｄ変換器で高分解能でデジタル変換し、デジタル変換された瞬時電圧値と瞬時電流値との積を瞬時電力として算出し、算出した瞬時電力に応じたパルス信号を生成する。アナログ乗算方式やデジタル乗算方式などの各乗算方式による、電力量の積算量の計量方法については、公知の各種技術を用いて容易に実現可能であるため説明を省略する。
【００４０】
分周回路部２１３は、乗算処理部２１２が生成したパルス信号のクロック周波数を、当該クロック周波数よりも低い所定のクロック周波数に変換する。計量機構部２１０は、分周回路部２１３が所定のクロック周波数に変換したパルス信号に基づく積分処理をおこなって電力量の積算値を出力する。
【００４１】
計時機構部２２０は、所定の送信局から送信される標準電波を受信し、受信した電波に基づいて日時を計時する。計時機構部２２０は、たとえば、アンテナ２２１と、受信機２２２と、マイクロプロセッサ２２３と、によって構成することができる。アンテナ２２１は、日時を含む時刻などの各種のデータを示すタイムコードが振幅変調されている標準電波を受信する。タイムコードは１Ｈｚのパルス信号であって、パルスの立ち上がりの瞬間が秒の変わり目を示す。アンテナ２２１は、たとえば、ＪＪＹのおおたかどや山標準電波送信所（３７°２２´１０”Ｎ、１４０°５１´９”Ｅ）や、はがね山標準電波送信所（３３°２７´５６”Ｎ、１３０°１０´３４”Ｅ）などの送信局から送信される標準電波を受信する。
【００４２】
受信機２２２は、アンテナ２２１が受信した標準電波を増幅し、増幅した標準電波をマイクロプロセッサ２２３に出力する。マイクロプロセッサ２２３は、受信機２２２から出力された標準電波に基づいて解読処理をおこない、解読結果である時刻信号をマイクロコンピュータ２４０へ出力する。計時機構部２２０は、たとえば、常時、時刻信号をマイクロコンピュータ２４０へ出力する。操作部２３０は、検針員などによる入力操作を受け付け、受け付けた入力操作に応じた信号をマイクロコンピュータ２４０に出力する。操作部２３０は、たとえば、テンキーの操作によって入力されたコードを示す信号を、マイクロコンピュータ２４０に出力する。
【００４３】
マイクロコンピュータ２４０は、計量機構部２１０から出力される電力量の積算値、計時機構部２２０から出力される時刻信号、操作部２３０が受け付けた入力操作に応じて当該操作部２３０から出力される信号などに基づいて、表示部２５０を駆動制御する。マイクロコンピュータ２４０は、たとえば、演算器、命令や情報を格納するレジスタ、周辺回路などから構成される。また、マイクロコンピュータ２４０は、記憶装置を含んでいる。マイクロコンピュータ２４０は、操作部２３０が受け付けた入力操作の内容に応じた情報を記憶装置に記憶する。
【００４４】
具体的には、マイクロコンピュータ２４０は、たとえば、操作部２３０が検針日時を設定する入力操作を受け付けた場合、入力を受け付けた検針日時を記憶装置に記憶する。また、具体的には、マイクロコンピュータ２４０は、たとえば、計時機構部２２０から出力される時刻信号に基づいて、あらかじめ設定されている検針日時が到来するごとに、計量機構部２１０から出力される電力量の積算値を記憶装置に記憶する。
【００４５】
表示部２５０は、計量機構部２１０が計量した電力量に関する情報を表示する。表示部２５０は、たとえば、計量機構部２１０が計量した電力量に関する情報を、常時表示する。あるいは、表示部２５０は、たとえば、操作部２３０が特定のコードの入力操作など、所定の入力操作を受け付けた場合にのみ、計量機構部２１０が計量した電力量に関する情報を表示するものであってもよい。
【００４６】
表示部２５０は、表示制御部２５１と、表示画面１１２と、表示画面１１３と、を備えている。表示部２５０は、マイクロコンピュータ２４０からの制御信号に基づいて、表示制御部２５１によって表示画面１１２や表示画面１１３を駆動制御することにより、表示画面１１２や表示画面１１３に所定の情報を表示する。
【００４７】
表示画面１１２は、たとえば、操作部２３０が受け付けた入力操作に応じた画面を表示する。また、表示画面１１２は、たとえば、マイクロコンピュータ２４０が備える記憶装置に記憶された電力量の積算値を示す数値を表示する。表示画面１１２は、たとえば、記憶装置に記憶された電力量の積算値を示す数値を、当該電力量の積算値を取得した日時（検針日時）と関連付けて表示する。
【００４８】
表示画面１１３は、計量機構部２１０が計量した電力量の積算値を示す情報を含む二次元コードを表示する。表示画面１１３は、たとえば、記憶装置に記憶された電力量の積算値を示す数値と、当該電力量の積算値を取得した日時（検針日時）と、を含む二次元コードを表示する。二次元コードは、たとえば、検針日時の午前０時における、電力量計１００の積算値を示す。
【００４９】
（電力量計１００の機能的構成）
つぎに、この発明にかかる実施の形態の電力量計１００の機能的構成について説明する。図３は、この発明にかかる実施の形態の電力量計１００の機能的構成を示すブロック図である。図３において、この発明にかかる実施の形態の電力量計１００は、計量部３０１と、計時部３０２と、設定部３０３と、設定記憶部３０４と、記憶部３０５と、コード生成部３０６と、表示部２５０と、を備えている。
【００５０】
計量部３０１は、電力量計１００の一次側から二次側へ流れた電力量を計量する。計量部３０１は、たとえば、上記の計量機構部２１０によって実現することができ、計量機構部２１０によって電力量計１００の一次側から二次側へ流れた電力量の積算値を取得することにより、電力量計１００の一次側から二次側へ流れた電力量を計量することができる。計時部３０２は、所定の送信局から送信される標準電波を受信し、受信した標準電波に基づいて日時を計時する。計時部３０２は、たとえば、上記の計時機構部２２０によって実現することができる。
【００５１】
設定部３０３は、検針日時の設定入力を受け付ける。設定部３０３は、たとえば、上記の操作部２３０と当該操作部２３０からの出力信号を受け付けるマイクロコンピュータ２４０とによって実現することができる。検針日時は、電力量計１００の一次側から二次側へ流れた電力量を計量する計量期間を定め、たとえば、当該計量期間の開始日時（計量開始日時）および当該計量期間の終了日時（計量終了日時）の少なくとも一方を指定することによって定めることができる。
【００５２】
計量期間は、所定の計量開始日時から所定時間が経過した後の計量終了日時までの期間であって、たとえば、１ヶ月などの期間とすることができる。計量期間は、電力会社あるいは電力の使用者（顧客）が任意に設定することができる。具体的には、計量期間は、たとえば、上記の操作部２３０において検針日時の設定入力を受け付けることによって、任意に設定することができる。
【００５３】
設定部３０３は、たとえば、操作部２３０において、検針員などによる所定の入力操作を受け付けることによって、検針日時の設定入力を受け付けることができる。具体的には、設定部３０３は、たとえば、操作部２３０において、テンキーの操作によって特定のコードの入力を受け付けた後に、さらに、テンキーの操作によって「１５」および「００００」という数字の入力を受け付けた場合、「毎月１５日の午前０時」を検針日時として設定入力を受け付ける。
【００５４】
また、設定部３０３は、複数の検針日時の設定入力を受け付けるものであってもよい。具体的には、設定部３０３は、たとえば、操作部２３０において、検針日時の設定入力を受け付けるコードとは別の特定のコードの入力を受け付けた後に、テンキーの操作によって「１５」および「００００」という数字の入力を受け付けた場合、既に設定されている検針日時に加えて、「毎月１５日の午前０時」を検針日時として設定入力を受け付ける。
【００５５】
また、設定部３０３は、複数の検針日時を変更する設定入力を受け付けるものであってもよい。具体的には、検針日時は、たとえば、操作部２３０において、検針日時の設定入力や追加入力を受け付けるコードとは別の特定のコードの入力を受け付け、かつ、変更する検針日時を選択する操作を受け付けた後に、テンキーの操作によって「１５」および「００００」という数字の入力を受け付けた場合、選択された検針日時に代えて、「毎月１５日の０時００分」をあらたな検針日時として設定入力を受け付ける。
【００５６】
記憶部３０４は、設定部３０３が設定入力を受け付けた検針日時に関する情報を記憶する。設定部３０３において複数の検針日時の設定入力を受け付けた場合、記憶部３０４は、当該複数の検針日時のそれぞれに関する情報を記憶する。記憶部３０４は、検針日時に加えて、当該検針日時の設定入力を受け付けた日時に関する情報を記憶してもよい。この場合、記憶部３０４は、たとえば、既に記憶している検針日時と同一の検針日時の設定入力を受け付けると、設定入力を受け付けた日時が新しい検針日時に関する情報を記憶する。
【００５７】
記憶部３０５は、計量部３０１が計量した電力量の計量期間における推移を示す情報を記憶する。記憶部３０５は、設定部３０３が設定入力を受け付けた検針日時に基づいて、当該検針日時からつぎの検針日時までの計量期間における、計量部３０１が計量した電力量の推移を示す情報を記憶する。記憶部３０５は、たとえば、計量部３０１が計量した電力量を連続して記憶する。あるいは、記憶部３０５は、たとえば、計量部３０１が計量した電力量を、１０分ごと、１時間ごと、などのように、前回記憶してから所定時間が経過するごとに記憶するものであってもよい。
【００５８】
具体的には、たとえば、記憶部３０５は、計量期間内において、１時間ごとに、計量部３０１が計量した電力量の積算値を当該電力量が計量された日時と関連付けて記憶する。計量部３０１は、「１時間ごと」、「１０分ごと」などのように所定時間ごとに計量部３０１が計量した電力量の積算値を記憶するものであってもよいし、常時連続して記憶してもよい。記憶部３０５は、たとえば、上記のマイクロコンピュータ２４０が備える記憶装置によって実現することができる。
【００５９】
コード生成部３０６は、計時部３０２が計時する日時に基づいて、計量期間において計量部３０１が計量した電力量の積算値を示す二次元コードを生成する。コード生成部３０６は、たとえば、上記のマイクロコンピュータ２４０によって実現することができる。コード生成部３０６は、たとえば、「毎月１５日の午前０時」などのように、設定部３０３において設定入力を受け付けることによって設定された検針日時が到来するごとに、二次元コードを生成する。
【００６０】
設定部３０３において検針日時の設定入力を受け付けた場合、コード生成部３０６は、設定部３０３が入力を受け付けた検針日時が到来するごとに、二次元コードを生成する。コード生成部３０６は、たとえば、検針日時が到来するごとに、当該検針日時における電力量の積算値を計量部３０１から取得し、計量部３０１から取得した積算値を示す二次元コードを生成する。この実施の形態において、検針日時は、計量期間の開始日時（計量開始日時）を規定するものであってもよいし、計量期間の終了日時（計量終了日時）を規定するものであってもよい。コード生成部３０６は、たとえば、計量開始日時および計量終了日時の少なくとも一方を示す情報を含む二次元コードを生成する。
【００６１】
また、コード生成部３０６は、検針日時を示す情報を含む二次元コードを生成する。すなわち、コード生成部３０６は、電力量の積算値と、当該積算値がいつの検針日時における積算値であるかを示す情報（検針日時）と、を関連付けて示す二次元コードを生成する。これにより、二次元コードに含まれる電力量の積算値が、いつの検針日時における数値であるかを確実に案内することができる。検針日時が複数設定されている場合、コード生成部３０６は、検針日時ごとに、当該各検針日時における電力量計１００の積算値を関連付けて示す二次元コードを生成する。
【００６２】
また、コード生成部３０６は、契約番号、契約情報、計器情報を含む二次元コードを生成する。契約番号は、電力会社と当該電力会社が供給する電力を使用する顧客（契約者）との間の電気受給契約ごとに固有の番号であって、契約番号が特定されることにより当該電気受給契約の内容を特定することができる。契約情報は、たとえば、顧客の氏名、当該顧客の住所（家屋など電力使用設備の設置位置）、契約容量、契約メニューなどによって実現することができる。計器情報は、電力量計１００ごとに固有の情報（電力量計１００の識別情報）であって、たとえば、電力量計１００の製造時にあらかじめ設定しておくことができる。
【００６３】
あるいは、計器情報は、たとえば、当該電力量計１００の設置地点を示す地点情報であってもよい。この場合、たとえば、電力量計１００ごとにＧＰＳ受信機を設け、コード生成部３０６は当該ＧＰＳ受信機から出力される測位結果を計器情報として含む二次元コードを生成する。ＧＰＳ受信機は、アンテナ、ＲＦブロック、ベースバンドＩＣなどによって構成することができる。ＧＰＳシステムによる測位方法およびＧＰＳ受信機については、公知の技術を用いて容易に実現可能であるため説明を省略する。
【００６４】
また、コード生成部３０６は、当該コード生成部３０６が生成した二次元コードを読み取った端末装置に対して、当該二次元コードに含まれる情報を所定のサーバ装置に送信させるソースコードを含む二次元コードを生成する。ソースコードは、当該二次元コードを読み取った検針員の端末装置において、当該検針員の端末装置にあらかじめ記憶されている所定の情報と、当該二次元コードに含まれる情報と、が一致するか否かの照合をおこなわせるプログラムを含んでいてもよい。
【００６５】
また、ソースコードは、上記の照合によって一致すると判断された場合にのみ、読み取った二次元コードに含まれる情報を、当該二次元コードを読み取った検針員の端末装置において記憶させるプログラムを含んでいてもよい。また、ソースコードは、端末装置にあらかじめ記憶されている所定の情報と、当該二次元コードに含まれる情報との照合の結果、検針員の端末装置にあらかじめ記憶されている所定の情報と、当該二次元コードに含まれる情報と、が一致しない場合に、二次元コードに含まれる情報の送信を中断させるプログラムを含んでいてもよい。
【００６６】
所定のサーバ装置は、たとえば、電力会社が管理する、当該電力会社が供給した電力の使用量や使用量に応じた請求を管理するコンピュータ装置によって実現することができる。所定のサーバ装置は、たとえば、顧客の氏名、当該顧客の住所（家屋など電力使用設備の設置位置）、計器情報、所定期間ごとの電力の使用量、請求金額、請求に対する支払い状況などを関連付けて記憶するデータベースを備えている。所定のサーバ装置を実現するコンピュータ装置は、たとえば、汎用的なコンピュータ装置によって実現することができる。所定のサーバ装置を実現するコンピュータ装置については、公知の技術を用いて容易に実現可能であるため説明を省略する。
【００６７】
また、ソースコードは、二次元コードを読み取った検針員の端末装置に対して、読み取った二次元コードに含まれる契約番号、契約情報、計器情報などの情報を、当該検針員が携行するプリンタに送信させるプログラムを含んでいてもよい。検針員の端末装置からプリンタへの情報送信は、たとえば、赤外線通信などによって実現することができる。検針員の端末装置から送信された情報を受信したプリンタは、受信した情報に基づいて「電力使用量のお知らせ」などをプリント出力する。プリンタの構成については、公知の技術を用いて容易に実現可能であるため説明を省略する。この発明にかかる実施の形態においては、電力量計１００、所定のサーバ装置および検針員の端末装置によって、この発明にかかる電力計量システムを実現することができる。
【００６８】
（電力量計１００の処理手順）
つぎに、この発明にかかる実施の形態の電力量計１００の処理手順について説明する。図４、図５および図６は、この発明にかかる実施の形態の電力量計１００の処理手順を示すフローチャートである。図４のフローチャートにおいて、まず、検針日時の入力操作を受け付けるまで待機する（ステップＳ４０１：Ｎｏ）。ステップＳ４０１においては、たとえば、操作部２３０において特定のコードの入力操作を受け付けた場合など、設定部３０３において検針日時の設定入力を受け付けたか否かを判断する。
【００６９】
ステップＳ４０１において、検針日時の入力操作を受け付けた場合（ステップＳ４０１：Ｙｅｓ）、入力操作を受け付けた検針日時を記憶して（ステップＳ４０２）、一連の処理を終了する。ステップＳ４０２においては、たとえば、操作部２３０において特定のコードの入力操作を受け付けた後に数字の入力を受け付けた場合など、設定部３０３において検針日時の設定入力を受け付けた場合に、設定入力を受け付けた検針日時を記憶する。
【００７０】
図５のフローチャートにおいて、まず、記憶部３０５が記憶する検針日時と計時部３０２が計時する現在時刻（日時）とに基づいて、上記の図４のフローチャートに示した処理によってあらかじめ設定された検針日時が到来するまで待機する（ステップＳ５０１：Ｎｏ）。ステップＳ５０１において、検針日時が到来した場合（ステップＳ５０１：Ｙｅｓ）、計量部３０１が計量する電力量の積算値を取得する（ステップＳ５０２）。
【００７１】
つぎに、ステップＳ５０２において取得した電力量の積算値を、当該電力量の積算値を取得した検針日時を関連付けて、記憶部３０５に記憶して（ステップＳ５０３）、一連の処理を終了する。これにより、検針員の検針日時にかかわらず、あらかじめ設定した検針日時における電力量の積算値を取得し、記憶しておくことができる。
【００７２】
図６のフローチャートにおいて、まず、検針指示を受け付けるまで待機する（ステップＳ６０１：Ｎｏ）。ステップＳ６０１においては、たとえば、上記の操作部２３０において所定の入力操作を受け付けるなど、検針の実行を指示する入力操作を受け付けた場合に、検針指示を受け付けたと判断する。
【００７３】
ステップＳ６０１において、検針指示を受け付けた場合（ステップＳ６０１：Ｙｅｓ）、記憶部３０５に記憶された情報に基づいて、検針結果を取得する（ステップＳ６０２）。ステップＳ６０２においては、たとえば、検針指示を受け付けた日時以前であって、当該検針指示を受け付けた日時にもっとも近い日時に記憶された電力量および検針日時を取得する。
【００７４】
また、ステップＳ６０２においては、たとえば、複数の検針日時が設定されている場合、検針指示を受け付けた日時以前の所定期間に記憶された電力量および検針日時をすべて取得してもよい。所定期間は、電力会社や検針員などが任意に設定可能な期間であって、たとえば、１ヶ月とすることができる。
【００７５】
つぎに、ステップＳ６０２において取得した検針結果に基づいて、コード生成部３０６において二次元コードを生成し（ステップＳ６０３）、表示部２５０によってステップＳ６０３において生成した二次元コードを表示して（ステップＳ６０４）、一連の処理を終了する。ステップＳ６０４においては、たとえば、ステップＳ６０３において生成した二次元コードを、表示画面１１３に表示する。ステップＳ６０４においては、たとえば、ステップＳ６０３において生成した二次元コードを表示画面１１３に表示するとともに、ステップＳ６０２において取得した検針結果を示す数値を表示画面１１２に表示してもよい。
【００７６】
（検針作業の手順）
つぎに、この発明にかかる実施の形態の電力量計１００を用いた検針作業の手順について説明する。この発明にかかる実施の形態の電力量計１００を用いた検針作業に際して、検針員は、まず、電力量計１００に対して所定の入力操作をおこなうことにより、電力量計１００に対して検針指示を入力する。
【００７７】
検針指示の入力を受け付けた電力量計１００は、上記の処理をおこなうことによって、既に記憶されている検針結果を取得し、取得した検針結果に基づいて二次元コードを生成し、生成した二次元コードを表示画面１１３に表示する。検針員は、電力量計１００の表示画面１１３に表示された二次元コードを、検針員の端末装置を用いて読み取る。検針員の端末装置は、たとえば、カメラ機能つき携帯型電話機などの携帯型の端末装置によって実現することができる。
【００７８】
この発明にかかる実施の形態の電力量計１００を用いた検針作業をおこなう場合、検針員は、検針作業に先立って、検針対象とする電力量計１００に関する契約番号、契約情報および計器情報を、検針員の端末装置に記憶しておく。検針対象とする電力量計１００に関する契約番号、契約情報および計器情報を、検針員の端末装置に記憶する方法については、公知の各種の技術を用いて容易に実現可能であるため説明を省略する。
【００７９】
二次元コードには、二次元コードを読み取った検針員の端末装置に対して、当該二次元コードに含まれる情報を所定のサーバ装置に送信させるソースコードが含まれているため、二次元コードを読み取った端末装置は、当該ソースコードに基づいた処理を実行する。これにより、所定のサーバ装置を実現するコンピュータ装置に対して、二次元コードに含まれる電力量の積算値、検針日時、契約番号、契約情報および計器情報などの情報を送信することができる。
【００８０】
従来の検針作業に際しては、検針員が各施設を巡回して各施設に設置された電力量計１００の指示数を目視によって読み取り、読み取った指示数をハンディターミナルへ手作業によって打ち込む。検針員は、ハンディターミナルに打ち込んだ内容を確認した後に、当該ハンディターミナルを所定のＰＤＡ端末に接続し、当該ハンディターミナルに入力された情報を所定のＰＤＡ端末に出力させる。所定のＰＤＡ端末は、ハンディターミナルから出力された情報を記憶する。検針員は、複数の電力量計１００の積算値をＰＤＡ端末に記憶させ、たとえば、１日分の検針作業が終了した時点で、ハンディターミナルから出力されて自身が記憶した情報を、パーソナルコンピュータなどの端末装置に移し記憶させていた。
【００８１】
これに対し、この発明にかかる実施の形態の電力量計１００を用いた検針作業に際しては、電力量計１００が表示する二次元コードを、検針員の端末装置に読み取らせるだけで、電力量の積算値、検針日時、契約番号、契約情報および計器情報などの情報を、所定のサーバ装置に送信することができる。これによって、ハンディターミナルやＰＤＡ端末などの装備を携行する場合と比較して、携行する装備の軽量化を図ることができる。
【００８２】
また、これによって、読み取った指示数をハンディターミナルへ手作業によって打ち込む作業や、ハンディターミナルに入力した情報をＰＤＡ端末に記憶させる作業をおこなう場合と比較して、検針員の負担を減らすことができ、検針作業の効率化および検針作業にかかる時間短縮を図ることができる。また、検針作業にかかる時間短縮を図ることにより、従来の検針作業と比較して、検針員は、自身の検針作業内容の報告を迅速に完了することができる。
【００８３】
二次元コードに含まれるソースコードは、当該二次元コードを読み取った検針員の端末装置において、当該端末装置にあらかじめ記憶されている所定の情報と、当該二次元コードに含まれる情報との照合をおこなわせるプログラムを含むため、照合の結果、検針員の端末装置にあらかじめ記憶されている契約番号、契約情報および計器情報と、読み取った二次元コードに含まれる契約番号、契約情報、計器情報と、が一致する場合にのみ、二次元コードに含まれる電力量の積算値、検針日時、契約番号、契約情報および計器情報などの情報を送信することができる。
【００８４】
所定のサーバ装置は、検針員の端末装置から送信された情報を所定のサーバ装置が備えるデータベースに記憶する。検針員の端末装置を実現する、携帯型電話機などの携帯型の端末装置の構成、当該携帯型電話機などの携帯型の端末装置の二次元コードの読み取り機能、および、当該携帯型電話機などの携帯型の端末装置が二次元コードを読み取っておこなう処理については、公知の技術を用いて容易に実現可能であるため説明を省略する。
【００８５】
電力量計１００は、検針員などによって所定の入力操作がおこなわれることによって検針指示の入力を受け付けた場合、当該検針指示の入力を受け付けてから所定の表示時間の間のみ、二次元コードを表示する。所定の表示時間は、たとえば、１分間、５分間、などのように、電力量計１００の管理者によってあらかじめ設定しておくことができる。
【００８６】
このように構成した場合、検針員が、検針作業の終了後に、電力量計１００において表示させた二次元コードを表示させないような入力操作をおこなわなくても、所定時間後に二次元コードを表示させないようにすることができる。これにより、二次元コードを常時表示する場合と比較して、二次元コードに含まれる情報が第三者に読み取られることによる個人情報の漏洩の危険性を低減することができる。
【００８７】
上記の実施の形態においては、検針作業に際して、検針員が電力量計１００に対して所定の入力操作をおこなうことによって当該電力量計１００において二次元コードを表示させるようにしたが、電力量計１００において二次元コードを表示させる方法はこれに限るものではない。たとえば、電力量計１００に、検針員が携行する携帯型電話機などの可搬性を有する所定の端末装置との間で通信をおこなう通信部を設け、電力量計１００と検針員の端末装置との間で通信をおこなうことによって電力量計１００において二次元コードを表示させるようにしてもよい。
【００８８】
この場合、通信部は、たとえば、アンテナと、分波フィルタと、受信機と、復調部と、によって構成することができる。このような通信部において、アンテナは、検針員が携行するハンディターミナルなどの外部装置から出力された、操作指示信号を含む電波を受信する。分波フィルタは、アンテナが受信した電波から操作指示信号を分波し、分波した操作指示信号を受信機に出力する。受信機は、分波フィルタから出力された操作指示信号を増幅し、増幅した操作指示信号を復調部に出力する。復調部は、変調された状態の操作指示信号を復調して、マイクロコンピュータ２４０へ出力する。
【００８９】
また、この場合、電力量計１００における通信部は、検針員の端末装置との間で、たとえば、Ｂｌｕｅｔｏｏｔｈ（登録商標）規格に則した通信をおこなうことにより、所定の端末装置から出力された、操作指示信号を含む電波を受信することができる。これにより、電力量計１００は、通信部において、所定の端末装置から出力された操作指示信号を含む電波を受信した場合に、上記の二次元コードを生成表示する。
【００９０】
また、上記の実施の形態においては、あらかじめ設定した検針日時における電力量の積算値を含む二次元コードを生成し、当該二次元コードを読み取ることによっておこなう電力量の検針作業について説明したが、検針対象は電力量に限るものではない。この発明の検針方法は、所定期間における使用量を検針対象とする検針作業に適用することができ、たとえば、電力量に代えて、水道の使用量、ガスの使用量などを検針対象とする検針作業に適用してもよい。
【００９１】
以上説明したように、この実施の形態の電力量計１００は、所定の送信局から送信される標準電波を受信し、受信した標準電波に基づいて計時される日時に基づいて、所定の計量開始日時から所定時間が経過した後の計量終了日時までの計量期間において一次側から二次側へ流れた電力量を示す二次元コードを生成し、生成した二次元コードを表示画面１１３に表示するようにしたことを特徴としている。
【００９２】
この発明にかかる実施の形態の電力量計１００よれば、計量期間における電力量を示す二次元コードを表示画面１１３に表示することができる。これにより、表示画面１１３に表示された二次元コードを、二次元コードが示すコード情報を読み取り可能な装置を用いて読み取ることによって、検針員が検針作業をおこなった日時にかかわらず計量期間における電力量を特定することができる。
【００９３】
これによって、この発明にかかる実施の形態の電力量計１００によれば、計量期間を一定にするために検針日時を限定するなどして検針員の負担を増やすことなく、一定の計量期間において使用した電力量を正確に特定することができる。また、この発明にかかる実施の形態の電力量計１００によれば、電力量計１００が生成した二次元コードを検針員の端末装置によって読み取ることにより、検針日時における電力量の積算値を検針員の端末装置に入力することができるので、誤検針を防止することができる。
【００９４】
また、この発明にかかる実施の形態の電力量計１００によれば、所定の送信局から送信される標準電波に基づいて計時される日時にしたがって計量期間を特定することにより、電力量計１００に対する時刻設定の作業を不要とすることができ、かつ、計量期間の正確性を確保することができる。これによって、検針員の負担を増やすことなく、一定の計量期間において使用した電力量を正確に特定することができる。
【００９５】
このように、この発明にかかる実施の形態の電力量計１００によれば、たとえば、「毎月１５日の午前０時」などのように、あらかじめ定められた検針日時における電力量の積算値を記憶し、記憶した電力量の積算値を表示することにより、従来のような基準検針日と実検針日との差異に起因する、電力量の積算値の計量期間にばらつきが生じることによる不具合を解消することができる。
【００９６】
上記の実施の形態の電力量計１００においては、二次元コードを表示する表示画面１１３を、表示画面１１２とは別に設けたが、これに限るものではない。たとえば、表示画面１１３を設けず、表示画面１１２の一部に二次元コードを表示させるようにしてもよい。あるいは、たとえば、表示画面１１３を設けず、表示画面１１２において計量機構部２１０が計量した電力量の積算値を示す数値と、二次元コードとを切り換えて表示するようにしてもよい。
【００９７】
また、この発明にかかる実施の形態の電力量計１００は、計量開始日時および計量終了日時の少なくとも一方を示す情報を含む二次元コードを生成することを特徴としている。
【００９８】
この発明にかかる実施の形態の電力量計１００によれば、二次元コードに含まれる計量開始日時または計量終了日時に基づいて、いつ計量された電力量であるかを容易かつ正確に特定することができる。これによって、検針作業ごとに計量期間に関する情報を入力させるなどして検針員の負担を増やすことなく、一定の計量期間において使用した電力量および当該電力量を計量した計量期間を正確に特定することができる。
【００９９】
また、この発明にかかる実施の形態の電力量計１００は、検針日時の設定入力を受け付け、入力を受け付けた検針日時と当該検針日時において計量した電力量の積算値とを関連付けて示す二次元コードを生成することを特徴としている。
【０１００】
この発明にかかる実施の形態の電力量計１００によれば、たとえば、「毎月１５日、午前０時」のように、顧客の要望や検針員の予定などに応じて任意の検針日時を設定することができる。これにより、検針員の負担を増やすことなく、顧客や検針員の指定した任意かつ一定の計量期間において使用した電力量を正確に特定することができる。
【０１０１】
また、この発明にかかる実施の形態の電力量計１００よれば、検針日時を一度設定しておくことにより、以降は、検針員が検針作業をおこなった日時にかかわらず、設定した検針日時から次回の検針日時までの計量期間における電力量を特定することができる。これにより、検針員の負担を増やすことなく、顧客や検針員の指定した任意かつ一定の計量期間において使用した電力量を正確に特定することができる。
【０１０２】
また、この発明にかかる実施の形態の電力量計１００は、複数の検針日時の設定入力を受け付け、入力を受け付けた検針日時ごとに、各検針日時と当該検針日時において計量機構部２１０が計量した電力量の積算値とを関連付けて示す二次元コードを生成することを特徴としている。
【０１０３】
この発明にかかる実施の形態の電力量計１００よれば、たとえば、「毎月１５日、午前０時」、「毎月１０日、午後１０時」、「毎月２５日、１７：００」などのように、１台の電力量計１００において複数の検針日時を設定することができる。これによって、顧客の要望に応じた計量期間において使用した電力量を正確に特定することができ、電力会社に対する顧客の満足度の向上を図ることができる。
【０１０４】
また、この発明にかかる実施の形態の電力量計１００は、計量した電力量の、計量期間における推移を示す情報を記憶し、記憶する情報を含む二次元コードを生成することを特徴としている。
【０１０５】
この発明にかかる実施の形態の電力量計１００によれば、計量期間において使用した電力量を正確に特定するとともに、当該計量期間において使用した電力量の推移を正確に特定することができるので、顧客が使用した電力量の実績を把握することができる。これにより、顧客から、金額や使用量などの請求内容についての問い合わせがあった場合に、実績に即した正確な情報に基づいて対応することができ、電力会社に対する顧客の満足度の向上を図ることができる。
【０１０６】
また、この発明にかかる実施の形態の電力量計１００によれば、計量期間において使用した電力量の積算値の推移に基づいて、顧客が使用した電力量の多少を時間帯別あるいは曜日別に判断することができるので、顧客ごとに、当該顧客に適した電力量料金メニューを、詳細なデータに基づいて提案することができる。これによって、電力会社に対する顧客の満足度の向上を図ることができる。
【０１０７】
また、この発明にかかる実施の形態の電力量計１００は、生成した二次元コードを読み取った端末装置に対して当該二次元コードに含まれる情報を所定のサーバ装置に送信させるソースコード、および、当該二次元コードの生成元となる計器情報を含む二次元コードを生成することを特徴としている。
【０１０８】
この発明にかかる実施の形態の電力量計１００によれば、表示手段が表示する二次元コードを端末装置に読み取らせるだけで、当該二次元コードに含まれる情報を所定のサーバ装置に送信させることができる。これにより、検針員の負担を増やすことなく、顧客が使用した正確な電力量に関する情報を所定のサーバ装置において管理することができる。
【０１０９】
また、この発明にかかる実施の形態の電力量計１００によれば、二次元コードの生成元となる計器情報を含む二次元コードを表示させることができる。これによって、検針作業ごとに計量対象とする電力量計１００を識別する情報を入力させるなどして検針員の負担を増やすことなく、一定の計量期間において使用した電力量の積算値および当該電力量の積算値を計量した計量期間を正確に特定することができる。
【０１１０】
また、この発明にかかる実施の形態の電力量計１００は、計量部３０１が計量した電力量の積算値を示す数字と二次元コードとを表示画面１１２、１１３に表示することを特徴としている。
【０１１１】
この発明にかかる実施の形態の電力量計１００によれば、計量部３０１が計量した電力量の積算値を示す数字を、検針員の端末装置に認識させるとともに、検針員に目視によって確認させることができる。これによって、たとえば、「前回の計量期間において使用した電力量と比較して著しく増加あるいは減少している」、「電力需給契約を停止していないにもかかわらず、前回の計量期間において使用した電力量と変化がない」などのような異常を迅速に発見することができる。
【０１１２】
また、この発明にかかる実施の形態の電力量計１００によれば、計量部３０１が計量した電力量の積算値を示す数字を表示画面１１２に表示することにより、電力量計１００において電力量の積算値の計量が正しくおこなわれているか否かを検針員が目視によって確認することができる。これによって、検針員の端末装置において二次元コードの読み取りエラーが生じていないか、電力量計１００に故障などの不具合がないかを現場において迅速に発見することができる。これによって、検針員が格別な点検操作をおこなわなくても、電力量計１００の不具合が生じている場合には迅速に対応をとることができるので、電力会社に対する顧客の満足度の向上を図ることができる。
【０１１３】
また、この発明にかかる実施の形態の電力計量システムは、上記の電力量計１００と、二次元コードを読み取り、読み取った二次元コードが示すコード情報を所定のサーバ装置に送信する検針員の端末装置と、検針員の端末装置が送信したコード情報を受信して記憶するサーバ装置と、を備えたことを特徴としている。
【０１１４】
この発明にかかる実施の形態の電力計量システムによれば、電力量計１００が表示する二次元コードを、検針員の端末装置によって読み取り、読み取った二次元コードが示すコード情報を検針員の端末装置から所定のサーバ装置に送信し、検針員の端末装置が送信したコード情報をサーバ装置において受信して記憶することができる。これによって、検針員の負担を増やすことなく、検針員が検針作業をおこなった日時にかかわらず計量期間における正確な電力量を特定することができる。
【産業上の利用可能性】
【０１１５】
以上のように、この発明にかかる電力量計および電力計量システムは、負荷に供給された電力量を計量する電力量計および当該電力量計を備えた電力計量システムに有用であり、特に、立地条件や顧客の都合などにより検針日時にばらつきが生じやすい設備に設置された電力量計および当該電力量計を備えた電力計量システムに適している。
【符号の説明】
【０１１６】
１００  電力量計
１１２、１１３  表示画面
２１０  計量機構部
２２０  計時機構部
２３０  操作部
３０１  計量部
３０２  計時部
３０３  設定部
３０４  設定記憶部
３０５  記憶部
３０６  コード生成部
２５０  表示部
【図１】
2013152122.tif 000003
【図２】
2013152122.tif 000004
【図３】
2013152122.tif 000005
【図４】
2013152122.tif 000006
【図５】
2013152122.tif 000007
【図６】
2013152122.tif 000008